(57)【特許請求の範囲】
【請求項１】
モニタとモニタ支持台の、いずれか一方に固設される取付けプレートと、他方に固設される係止プレートにおいて、取付けプレートを係止プレートに着脱自在とすることによってモニタをモニタ支持台に着脱自在に取付けるモニタの着脱機構であって、
取付けプレートは、周囲に立設する側壁を備え、該側壁には適宜の間隔で係止孔が複数設けられてなり、
係止プレートは、前記取付けプレートの側壁の内側に略合致して嵌入できる形状であって、該係止プレートの一面には、ロックプレートが回動可能に装着され、このロックプレートの周縁には、前記取付けプレートの側壁に設けられた係止孔に対応し、ロックプレートの正逆の回動で、該係止孔に出入するロック爪が突設され、
係止プレートに取付けた取付けプレートは、ロックプレートの正方向の回動でロックプレートのロック爪が、取付けプレートの側壁に設けた係止孔に進入してロックし、逆方向の回動でロックプレートのロック爪が、取付けプレートの側壁に設けた係止孔から退出してロック解除をすることを特徴とするモニタの着脱機構。
【請求項２】
前記ロックプレートには、ロックプレートのロック爪が、取付けプレートの側壁に設けた係止孔に進入してロックする方向に回動させるように付勢するばねが設けられ、通常は該ばねの付勢力でロックプレートのロック爪は、取付けプレートの側壁に設けた係止孔に進入してロック状態を保持し、ロック解除時に、ロックプレートを、ばねの付勢力に抗してロックプレートのロック爪が取付けプレートの側壁に設けた係止孔から退出する方向に回動させることを特徴とする請求項１記載のモニタの着脱機構。
【請求項３】
モニタとモニタ支持台の、いずれか一方に固設される取付けプレートと、他方に固設される係止プレートにおいて、取付けプレートを係止プレートに着脱自在とすることによってモニタをモニタ支持台に着脱自在に取付けるモニタの着脱機構であって、
取付けプレートは、周囲に立設する側壁を備え、上下部の側壁には、上部係止孔および下部係止孔が、左右部の側壁には、左部係止孔および右部係止孔が、それぞれ設けられてなり、
係止プレートは、前記取付けプレートの側壁の内側に略合致して嵌入できる形状であって、係止プレートの上端部には、取付けプレートが取付けられたときの取付けプレートの上部側壁に設けた上部係止孔に対応して、該上部係止孔に挿入する係止爪が突設され、
また、係止プレートの一面には、ロックプレートが回動可能に装着され、このロックプレートの左右部および下部の周縁には、このロックプレートの正逆の回動で取付けプレートの左右部および下部の係止孔に出入するロック爪が突設され、
このロックプレートには、ロックプレートのロック爪が取付けプレートの左右部および下部の係止孔に進入してロックする方向に付勢するばねが設けられ、
取付けプレートは、その上部係止孔を係止プレート上端部に突出した係止爪に係止させて重ね合せ係止プレートに取付け、この係止プレートに取付けられた取付けプレートは、ばねの付勢力によるロックプレートの正方向の回動でロックプレートのロック爪が、取付けプレートの左右部および下部の側壁に設けた左部係止孔、右部係止孔および下部係止孔に進入してロックされ、ばねの付勢力に抗する逆方向の回動でロックプレートのロック爪が、取付けプレートの左右部および下部の側壁に設けた左部係止孔、右部係止孔および下部係止孔から退出してロック解除されることを特徴とするモニタの着脱機構。
【請求項４】
モニタとモニタ支持台の、いずれか一方に固設される取付けプレートと、他方に固設される係止プレートにおいて、取付けプレートを係止プレートに着脱自在とすることによってモニタをモニタ支持台に着脱自在に取付けるモニタの着脱機構であって、
取付けプレートは、周囲に立設する側壁を備え、上下部の側壁には、上部係止孔および下部係止孔が、左右部の側壁には、左部係止孔および右部係止孔が、それぞれ設けられてなり、
係止プレートは、前記取付けプレートの側壁の内側に略合致して嵌入できる形状であって、この係止プレートの一面には、ロックプレートが回動可能に装着され、このロックプレートの上下部および左右部の周縁には、このロックプレートの正逆の回動で取付けプレートの上下部および左右部の係止孔に出入するロック爪が突設され、
このロックプレートには、ロックプレートのロック爪が取付けプレートの上下部および左右部の係止孔に進入してロックする方向に付勢するばねが設けられ、
係止プレートに取り付けられた取付けプレートは、ばねの付勢力によるロックプレートの正方向の回動でロックプレートのロック爪が、取付けプレートの上下部および左右部の側壁に設けた上部係止孔、下部係止孔および左部係止孔、右部係止孔に進入してロックされ、ばねの付勢力に抗する逆方向の回動でロックプレートのロック爪が、取付けプレートの上下部および左右部の側壁に設けた上部係止孔、下部係止孔および左部係止孔、右部係止孔から退出してロック解除されることを特徴とするモニタの着脱機構。
【請求項５】
前記ロックプレートの上部のロック爪は、ロックプレートをロック解除方向のロック解除位置まで回動させても、取付けプレートの上部係止孔内で回動移動はするが上部係止孔内より抜け出ない構成となっていることを特徴とする請求項４記載のモニタの着脱機構。
【請求項６】
前記係止プレートには、ばねの付勢力に抗してロックプレートを、そのロック爪が取付けプレートの係止孔から退出してロックを解除する方向に回動させるスライド部材が進退可能に設けられ、
該スライド部材には、スライド部材がロック解除位置にスライドしたとき、ばねの付勢力に抗してスライド部材をロック解除位置に係止するストッパが設けられ、
係止プレートに取付けた取付けプレートは、ロックプレートのロック爪が取付けプレートの側壁に設けた係止孔に進入してロックされ、
このロック状態は、ばねの付勢力で保持されているが、前記スライド部材をばねの付勢力に抗してスライドさせると、ロックプレートがロック解除方向に回動されロック解除がされ、スライド部材がロック解除位置にスライドされるとストッパに係止され、そのロック解除位置を保持するので取付けプレートの係止プレートからの取り外しが可能となり、
この取付けプレートの取り外した状態では、スライド部材およびロックプレートは、スライド部材がストッパで係止されていることによりロック解除位置を保持しているが、取付けプレートを係止プレートに取付けると、ストッパの係止が解除され、ばねの付勢力でスライド部材がスライド復帰すると共に、ロックプレートが回動し、そのロック爪が取付けプレートの係止孔に進入してロックすることを特徴とする請求項２乃至４のいずれかに記載のモニタの着脱機構。
【請求項７】
係止プレートの下端には、プレート面より立設する突片が設けられ、この突片にはガイド孔が設けられ、前記スライド部材は、該突片にガイド孔でガイドされて進退自在に設けられ、該スライド部材はロックプレートに連係され、このスライド部材のスライド操作でロックプレートの回動が可能となっており、
このスライド部材には、係止プレートに弾発接面する弾発力を備えるストッパ片が設けられ、このストッパ片にはストッパとしての突起が設けられストッパ片の弾発力で係止プレート面に当接されて摺動自在となっており、
係止プレートには、スライド部材がロック解除位置にスライドしたとき、前記ストッパ片の突起が係止されるストッパ孔が、対応する位置に設けられ、
取付けプレートには、係止プレートに取付けたとき前記係止プレートに設けたストッパ孔と対応する位置に、該ストッパ孔に挿入する解除部材が突設され、
取付けプレートが係止プレートに取付けられ、ばねの付勢力でロックプレートが回動され、そのロック爪が取付けプレートの側壁に設けた係止孔に進入したロック状態から、スライド部材をばねの付勢力に抗してスライドさせ、スライド部材がロック解除位置に到達すると、ストッパ片で係止プレート面に弾発押圧されている突起が、ストッパ孔に係止されてスライド部材のロック解除位置を保持し、
このロック解除位置で取付けプレートを係止プレートに取付けると、取付けプレートの解除部材が係止プレートの反対面からストッパ孔に進入しストッパ片の突起を押圧してストッパ孔からの係止を解除し、
この突起での係止が解除されると、ばねの付勢力でスライド部材がスライド復帰すると共に、ロックプレートが回動し、そのロック爪が取付けプレートの係止孔に進入してロックすることを特徴とする請求項６記載のモニタの着脱機構。
【請求項８】
前記係止プレートおよびロックプレートは、ベース部材に装着され、前記取付けプレートは、取付けプレートケースに装着されていることを特徴とする請求項１乃至７のいずれかに記載のモニタの着脱機構。
【請求項９】
前記ロックプレートの外形状は、略円形、四角形または六角形であることを特徴とする請求項１乃至８のいずれかに記載のモニタの着脱機構。
【発明の詳細な説明】
【技術分野】
【０００１】
この発明は、モニタ、例えば、液晶モニタをモニタ支持台に取り付けるための着脱機構に関し、特に、モニタをモニタ支持台にワンタッチにて取付け、取り外しができるモニタの着脱機構に関する。
【背景技術】
【０００２】
従来、モニタの着脱機構は、種々のものが提案されている。例えば、モニタ支持台に水平方向に伸びる凸部を設け、モニタの下部に前記凸部を挿入可能の溝を設け、モニタの上部にばねの弾力に抗して移動可能なフックを設け、モニタ支持台にモニタを前記凸部と溝との嵌合部回りに回動させたとき前記ばねの弾力に抗して移動させたフックに係止される係止部を設けたもの（例えば、特許文献１および２参照）、
コネクタボックスとコネクタフレームとでなるコネクタの接続で、電気的な接続と共にモニタ部とスタンド部の機械的な接続を同時に済ませることができるようにしたもの（例えば、特許文献３参照）、
機器側の接続部の凹部が、支持部の凸部に嵌合するとき、掛止突起が退行し、板ばねなどの弾圧部材の湾曲による弾性力で、掛止突起が掛止凹部に嵌合するもの（例えば、特許文献４参照）、
およびモニタの筺体の背面に、スリット穴を有する取付板が設けられており、この取付板にモニタ支持台のフックプレートを挿入し、ネジ軸に螺合し回転することによって進退する回転つまみを、回転させてフックプレートで取付板を挟持させ、モニタをモニタ支持台に取付けるもの（例えば、特許文献５参照）、等が提案されている。
【特許文献１】特開２００６−２８２１２４号公報
【特許文献２】特開２００６−２８２１２５号公報
【特許文献３】特開２００２−１２０９０号公報
【特許文献４】特開平１０−３７９１５号公報
【特許文献５】特開平８−３１２８８５号公報
【発明の開示】
【発明が解決しようとする課題】
【０００３】
しかしながら、従来のモニタの着脱機構は、解決すべき次のような課題がある。
（１）従来の着脱機構の固定部分は上下のみであり（例えば、特許文献１および２参照）、着脱時の強度を十分に確保することが難しく、また、上下または左右のみの固定（例えば、特許文献１、２および４参照）では、ガタつきを抑えることが難しい課題がある。
【０００４】
（２）また、取付板にモニタ支持台のフックプレートを挿入し、回転つまみを回転させてフックプレートで取付板を挟持させて取付ける装置（例えば、特許文献５参照）は、回転つまみの操作が必要であると共に、回転つまみがモニタの筺体背面とモニタ支持台の間に位置するため、操作がしにくい課題があると共に、フックプレートをスリット穴を有する取付板に挿入して係止するだけであるし、フックプレートは、螺軸の先端に設けられているため、モニタは、フックプレートおよび螺軸で支持することになり、自動車等の液晶モニタのような小型で軽いものは信頼できるが、会社や自宅で使用するモニタのように大型で重量の重いものは、支持の信頼性に欠ける課題がある。このことはコネクタボックスとコネクタフレームとでなるコネクタの接続で、電気的な接続と共にモニタ部とスタンド部の機械的な接続を同時に済ませることができるもの（例えば、特許文献３参照）でも同じことがいえる。
【０００５】
（３）また、従来の着脱機構は、部品点数が多く組付けのための工数がかかり、コストアップの要因となる課題がある。
（４）また、従来の着脱機構は、機械的に薄くできない構造であり、薄くすることが難しく、小型化やさまざまなデザインの要求に応えることが難しい課題がある。
（５）さらに、従来のモニタの着脱機構は、モニタとモニタ支持台とセットになっており、互いに専用となっているし、モニタおよびモニタ支持台に固定されているため、他のモニタやモニタ支持台に使用することが不自由であり、既存のモニタおよびモニタ支持台に容易に取り換えて使用することができない課題がある。
【０００６】
この発明は、このような課題を解決せんと提案されたものであり、その第１の目的は、ネジや工具も、また、操作も不要で、モニタをモニタ支持台にワンタッチで取り付けることができ、取り外しの操作も極めて容易にできるモニタの着脱機構の提供にある。
また、この発明の第２の目的は、モニタをモニタ支持台に、上下、左右で固定して取付けることができ、着脱時の強度も十分であり、ガタ付きの少ない取付けが可能なモニタの着脱機構の提供にある。
さらに、この発明の第３の目的は、モニタの着脱機構がセットになっており、既存のモニタおよびモニタ支持台に取付け可能で、容易に取り換えて使用することができるモニタの着脱機構の提供にある。
【課題を解決するための手段】
【０００７】
前記課題を解決するため、この発明のモニタの着脱機構は、モニタとモニタ支持台の、いずれか一方に固設される取付けプレートと、他方に固設される係止プレートにおいて、取付けプレートを係止プレートに着脱自在とすることによってモニタをモニタ支持台に着脱自在に取付けるモニタの着脱機構であって、
取付けプレートは、周囲に立設する側壁を備え、該側壁には適宜の間隔で係止孔が複数設けられてなり、
係止プレートは、前記取付けプレートの側壁の内側に略合致して嵌入できる形状であって、該係止プレートの一面には、ロックプレートが回動可能に装着され、このロックプレートの周縁には、前記取付けプレートの側壁に設けられた係止孔に対応し、ロックプレートの正逆の回動で、該係止孔に出入するロック爪が突設され、
係止プレートに取付けた取付けプレートは、ロックプレートの正方向の回動でロックプレートのロック爪が、取付けプレートの側壁に設けた係止孔に進入してロックし、逆方向の回動でロックプレートのロック爪が、取付けプレートの側壁に設けた係止孔から退出してロック解除をすることを特徴とする。
【０００８】
この構成により係止プレートに取付けた取付けプレートは、ロックプレートの正逆の回動でロックしたり、ロック解除することができるので、ロックプレートの回動だけで容易に着脱することができる。また、このモニタの着脱機構は、板状体である係止プレート、ロックプレートおよび取付けプレートを重ね合わせる構成なので、全体に薄くでき、小型化やデザインの要求に対応することができる。
また、取付けプレートのロックは、取付けプレートの側壁に設けた複数の係止孔に、ロックプレートのロック爪が進入して行うので、着脱時の強度も十分であり、ガタ付きの少ない取付けが可能となる。
【０００９】
また、この発明のモニタの着脱機構の前記ロックプレートには、ロックプレートのロック爪が、取付けプレートの側壁に設けた係止孔に進入してロックする方向に回動させるように付勢するばねが設けられ、通常は該ばねの付勢力でロックプレートのロック爪は、取付けプレートの側壁に設けた係止孔に進入してロック状態を保持し、ロック解除時に、ロックプレートを、ばねの付勢力に抗してロックプレートのロック爪が取付けプレートの側壁に設けた係止孔から退出する方向に回動させることを特徴とする。
【００１０】
この構成により係止孔に取付けた取付けプレートは、ばねの付勢力でロック状態を保持することができるし、取付けプレートが係止プレートから不用意に外れることもなく、取付けの信頼性も向上する。
【００１１】
また、この発明のモニタの着脱機構は、モニタとモニタ支持台の、いずれか一方に固設される取付けプレートと、他方に固設される係止プレートにおいて、取付けプレートを係止プレートに着脱自在とすることによってモニタをモニタ支持台に着脱自在に取付けるモニタの着脱機構であって、
取付けプレートは、周囲に立設する側壁を備え、上下部の側壁には、上部係止孔および下部係止孔が、左右部の側壁には、左部係止孔および右部係止孔が、それぞれ設けられてなり、
係止プレートは、前記取付けプレートの側壁の内側に略合致して嵌入できる形状であって、係止プレートの上端部には、取付けプレートが取付けられたときの取付けプレートの上部側壁に設けた上部係止孔に対応して、該上部係止孔に挿入する係止爪が突設され、
また、係止プレートの一面には、ロックプレートが回動可能に装着され、このロックプレートの左右部および下部の周縁には、このロックプレートの正逆の回動で取付けプレートの左右部および下部の係止孔に出入するロック爪が突設され、
このロックプレートには、ロックプレートのロック爪が取付けプレートの左右部および下部の係止孔に進入してロックする方向に付勢するばねが設けられ、
取付けプレートは、その上部係止孔を係止プレート上端部に突出した係止爪に係止させ、回動する格好で重ね合わせて係止プレートに取付け、この係止プレートに取付けられた取付けプレートは、ばねの付勢力によるロックプレートの正方向の回動でロックプレートのロック爪が、取付けプレートの左右部および下部の側壁に設けた左部係止孔、右部係止孔および下部係止孔に進入してロックされ、ばねの付勢力に抗する逆方向の回動でロックプレートのロック爪が、取付けプレートの左右部および下部の側壁に設けた左部係止孔、右部係止孔および下部係止孔から退出してロック解除されることを特徴とする。
【００１２】
この構成により係止プレートに取付けた取付けプレートは、上部係止孔に挿入する係止爪、左右部の係止孔に進入するロック爪および下部の係止孔に進入するロック爪で、上下、左右においてロックされる。従って、着脱時の強度も十分であるし、ガタ付きの少ない取付けができる。
また、ロックプレートの左右部および下部のロック爪を取付けプレートからのロックを解除しても、取付けプレートの上部係止孔は係止プレートの上部の係止爪に係止した状態なので、取り外しが可能な状態でもそのままの位置が確保でき、取付けプレートに取付けられたモニタも自重で落下はせず、手でモニタを支持してから持ち上げて取り外しが可能となるので安全となり、取り外し時の信頼性が向上する。
【００１３】
また、この発明のモニタの着脱機構は、モニタとモニタ支持台の、いずれか一方に固設される取付けプレートと、他方に固設される係止プレートにおいて、取付けプレートを係止プレートに着脱自在とすることによってモニタをモニタ支持台に着脱自在に取付けるモニタの着脱機構であって、
取付けプレートは、周囲に立設する側壁を備え、上下部の側壁には、上部係止孔および下部係止孔が、左右部の側壁には、左部係止孔および右部係止孔が、それぞれ設けられてなり、
係止プレートは、前記取付けプレートの側壁の内側に略合致して嵌入できる形状であって、この係止プレートの一面には、ロックプレートが回動可能に装着され、このロックプレートの上下部および左右部の周縁には、このロックプレートの正逆の回動で取付けプレートの上下部および左右部の係止孔に出入するロック爪が突設され、
このロックプレートには、ロックプレートのロック爪が取付けプレートの上下部および左右部の係止孔に進入してロックする方向に付勢するばねが設けられ、
係止プレートに取り付けられた取付けプレートは、ばねの付勢力によるロックプレートの正方向の回動でロックプレートのロック爪が、取付けプレートの上下部および左右部の側壁に設けた上部係止孔、下部係止孔および左部係止孔、右部係止孔に進入してロックされ、ばねの付勢力に抗する逆方向の回動でロックプレートのロック爪が、取付けプレートの上下部および左右部の側壁に設けた上部係止孔、下部係止孔および左部係止孔、右部係止孔から退出してロック解除されることを特徴とする。
【００１４】
この構成により係止プレートに取付けた取付けプレートは、取付けプレートの上下、左右の係止孔に進入するロックプレートの上下、左右のロック爪でロックされるので、着脱時の強度も十分であるし、ガタ付きの少ない取付けができる。
【００１５】
また、この発明のモニタの着脱機構は、前記ロックプレートの上部のロック爪は、ロックプレートをロック解除方向のロック解除位置まで回動させても、取付けプレートの上部係止孔内で回動移動はするが上部係止孔内より抜け出ない構成となっていることを特徴とする。
【００１６】
この構成によりロックプレートの左右部および下部のロック爪が取付けプレートの左右部および下部の係止孔から退出し、ロックが解除され取り外しが可能な状態になっても、取付けプレートの上部係止孔は、ロックプレートの上部のロック爪に係止した状態なので、そのままの位置が確保でき、取付けプレートに取り付けられたモニタも自重で落下はせず、手でモニタを支持してから持ち上げて取り外しが可能となるので安全となり、取り外し時の信頼性が向上する。
【００１７】
また、この発明のモニタの着脱機構は、前記係止プレートには、ばねの付勢力に抗してロックプレートを、そのロック爪が取付けプレートの係止孔から退出してロックを解除する方向に回動させるスライド部材が進退可能に設けられ、
該スライド部材には、スライド部材がロック解除位置にスライドしたとき、ばねの付勢力に抗してスライド部材をロック解除位置に係止するストッパが設けられ、
係止プレートに取付けた取付けプレートは、ロックプレートのロック爪が取付けプレートの側壁に設けた係止孔に進入してロックされ、
このロック状態は、ばねの付勢力で保持されているが、前記スライド部材をばねの付勢力に抗してスライドさせると、ロックプレートがロック解除方向に回動されロック解除がされ、スライド部材がロック解除位置にスライドされるとストッパに係止され、そのロック解除位置を保持するので取付けプレートの係止プレートからの取り外しが可能となり、
この取付けプレートの取り外した状態では、スライド部材およびロックプレートは、スライド部材がストッパで係止されていることによりロック解除位置を保持しているが、取付けプレートを係止プレートに取付けると、ストッパの係止が解除され、ばねの付勢力でスライド部材がスライド復帰すると共に、ロックプレートが回動し、そのロック爪が取付けプレートの係止孔に進入してロックすることを特徴とする。
【００１８】
この構成により係止プレートに取付けた取付けプレートは、スライド部材のスライド操作によってロックを解除して取り外すことができ、また、取付けプレートは、係止プレートに取付けるだけでロックされる。従って、モニタはモニタ支持台にワンタッチで取り付けることができ、取り外すときはスライド部材のスライド操作でロック解除を行うことができるので、モニタの着脱を容易に行うことができる。
【００１９】
また、この発明のモニタの着脱機構は、係止プレートの下端には、プレート面より立設する突片が設けられ、この突片にはガイド孔が設けられ、前記スライド部材は、該突片にガイド孔でガイドされて進退自在に設けられ、該スライド部材はロックプレートに連係され、このスライド部材のスライド操作でロックプレートの回動が可能となっており、
このスライド部材には、係止プレートに弾発接面する弾発力を備えるストッパ片が設けられ、このストッパ片にはストッパとしての突起が設けられストッパ片の弾発力で係止プレート面に当接されて摺動自在となっており、
係止プレートには、スライド部材がロック解除位置にスライドしたとき、前記ストッパ片の突起が係止されるストッパ孔が、対応する位置に設けられ、
取付けプレートには、係止プレートに取付けたとき前記係止プレートに設けたストッパ孔と対応する位置に、該ストッパ孔に挿入する解除部材が突設され、
取付けプレートが係止プレートに取付けられ、ばねの付勢力でロックプレートが回動され、そのロック爪が取付けプレートの側壁に設けた係止孔に進入したロック状態から、スライド部材をばねの付勢力に抗してスライドさせ、スライド部材がロック解除位置に到達すると、ストッパ片で係止プレート面に弾発押圧されている突起が、ストッパ孔に係止されてスライド部材のロック解除位置を保持し、
このロック解除位置で取付けプレートを係止プレートに取付けると、取付けプレートの解除部材が係止プレートの反対面からストッパ孔に進入しストッパ片または突起を押圧してストッパ孔からの係止を解除し、
この突起での係止が解除されると、ばねの付勢力でスライド部材がスライド復帰すると共に、ロックプレートが回動し、そのロック爪が取付けプレートの係止孔に進入してロックすることを特徴とする。
【００２０】
この構成により突片のガイド孔にガイドされて進退するスライド部材は、ロックプレートに連係されているので、このスライド部材のスライド操作でロックプレートの回動が可能となる。従って、ばねの付勢力でロックプレートのロック爪が取付けプレートの係止孔に進入したロック状態から、スライド部材をばねの付勢力に抗してスライドさせ、ロックプレートを回動させ、ロックプレートのロック爪を、取付けプレートの係止孔から退出させてロックを解除することができ、この状態で取付けプレートは、係止プレートから取り外すことができる。
このスライド部材のスライドでスライド部材がロック解除位置に到達すると、ストッパ片に設けられたストッパとしての突起は、ストッパ片の弾発力で係止プレート面に押圧されて摺動しているので、係止プレートのストッパ孔と合致してストッパ孔に入り係止される。従って、ロック解除位置に到達したスライド部材は、ロック解除位置に保持されるので、取付けプレートは自由に係止プレートより取り外すことができ、取付けプレートを取り外してもスライド部材は、ロック解除位置を保持する。
この状態で取付けプレートを係止プレートに取付けると、取付けプレートの解除部材が係止プレートの反対面からストッパ孔に進入してストッパ片の突起またはストッパ片を押圧するので、突起の係止は解除される。この突起での係止が解除されると、ばねの付勢力でスライド部材がスライド復帰すると共に、ロックプレートがロック方向に回動し、そのロック爪が取付けプレートの係止孔に進入してロックする。
【００２１】
また、この発明のモニタの着脱機構の前記係止プレートおよびロックプレートは、ベース部材に装着され、前記取付けプレートは、取付けプレートケースに装着されていることを特徴とする。
この構成により係止プレート側と取付けプレート側は、ベース部材とケースに装着されているので、このベース部材とケースにおいてモニタおよびモニタ支持台に着脱自在に取り付けることができる。従って、既存のモニタおよびモニタ支持台でも使用可能となるし、モニタおよびモニタ支持台とは別に、この着脱機構のみの取引も可能となる。
【００２２】
さらに、この発明のモニタの着脱機構の前記ロックプレートの外形状は、略円形、四角形または六角形であることを特徴とする。
ロックプレートは、回動できる形状であればよく、その形状は特に制限されるものではないが、好ましい外形状として、略円形、四角形および六角形を挙げることができる。
この構成によりロックプレートの回動機構を容易にできると共に、ロックプレートの正逆の回動によるロック爪の取付けプレートの係止孔への出入りする構成を容易に実現することができる。
【発明の効果】
【００２３】
この発明のモニタの着脱機構によれば、次のような効果を奏する。
（１）係止プレートに取付けた取付けプレートは、ロックプレートの正逆の回動でロックしたり、ロック解除することができ、モニタのモニタ支持台への着脱を容易にすることができる。
（２）このモニタの着脱機構は、板状体の、係止プレート、ロックプレートおよび取付けプレートを重ね合わせる構成なので、全体に薄くでき、小型化やデザインの要求に対応することができる。
（３）取付けプレートは、取付けプレートの側壁に設けた複数の係止孔に、ロックプレートのロック爪が進入してロックされるので、着脱時の強度も十分であり、ガタ付きの少ない取付けが可能となる。
【００２４】
（４）ロックプレートは、ばねの付勢力でロック状態が保持されるので、ロックが不用意に外れることがなく、従って、係止プレートに取付けた取付けプレートも、しっかりとロックされ不用意に外れることなく、取付けの信頼性が向上する。
（５）係止プレートに取付けた取付けプレートは、上部係止孔に挿入する係止爪または上部係止孔に進入するロック爪、および左右部の係止孔に進入するロック爪、下部の係止孔に進入するロック爪で、上下、左右においてロックされるので、着脱時の強度も十分であるし、ガタ付きの少ない取付けとなる。また、取付けた取付けプレートが係止プレートから不用意に外れることもなく、取付けの信頼性は一層向上する。
【００２５】
（６）ロックプレートの左右部および下部のロック爪が取付けプレートの左右部および下部の係止孔から退出しロックが解除され、取り外しが可能な状態になっても、取付けプレートの上部係止孔は、係止プレートの上部の係止爪またはロックプレートの上部のロック爪に係止した状態なので、そのままの位置が確保でき、モニタが取り付けられた取付けプレートも、重量で落下はせず、手でモニタを支持してから持ち上げる格好で取り外しが可能となるので安全であり、取り外し時の信頼性が高い。
【００２６】
（７）係止プレートに取付けた取付けプレートは、スライド部材のスライド操作によってロックを解除して取り外すことができ、また、取付けプレートは、係止プレートに取付けるだけでロックされて固定される。従って、モニタはモニタ支持台にワンタッチで取付けることができ、モニタの着脱は極めて容易である。
（８）ばねの付勢力でロックプレートのロック爪が、取付けプレートの係止孔に進入したロック状態から、スライド部材をばねの付勢力に抗してスライドさせロックプレートを回動させロックの解除をするが、この時、スライド部材がロック解除位置に到達すると、ストッパ片に設けた突起が、係止プレートのストッパ孔に入り係止され、スライド部材をロック解除位置に保持することができる。従って、スライド部材から手を放してモニタの取り外し作業を行うことができ、取り外し作業が容易で安全である。
【００２７】
（９）このロック解除位置に保持されている状態で、取付けプレートを係止プレートに取付けると、取付けプレートの解除部材により突起によるスライド部材の係止が解除されるので、ばねの付勢力でスライド部材がスライド復帰すると共に、ロックプレートがロック方向に回動し、そのロック爪が取付けプレートの係止孔に進入してロックする。従って、モニタをモニタ支持台にワンタッチで取り付けることができる。
【００２８】
（１０）係止プレート側と取付けプレート側は、ベース部材とケースに装着されているので、このベース部材とケースにおいてモニタおよびモニタ支持台に着脱自在に取り付けることができる。従って、既存のモニタおよびモニタ支持台でも使用可能となるし、モニタおよびモニタ支持台とは別に、この着脱機構のみの取引も可能となるし、既にモニタおよびモニタ支持台を所有している者でも、容易に取り換えて使用できる。
【００２９】
（１１）ロックプレートの外形状が略円形、四角形または六角形なので、ロックプレートの回動機構、およびロックプレートの正逆の回動によるロック爪の、取付けプレートの係止孔に出入する構成、等を容易に実現できるし、コンパクトな形状に構成できる。
【発明を実施するための最良の形態】
【００３０】
以下、この発明の実施の形態を図面と共に詳細に説明する。図１は、この発明の実施の形態を示す全体斜視図、図２は、この発明の実施の形態を示すモニタをモニタ支持台より取り外した状態の斜視図、図３は、この発明の実施の形態を示す取付けプレートの斜視図、図４は、この発明の実施の形態を示す取付けプレート側の分解斜視図、図５は、この発明の実施の形態を示す係止プレートの斜視図、図６は、この発明の実施の形態を示す係止プレート側の分解斜視図、図７は、係止プレートに回動可能に取り付けたロックプレートがスライド部材でロック解除位置に回動された状態を示す斜視図、図８は、係止プレートに回動可能に取り付けたロックプレートが、ロック位置に回動された状態を示す斜視図、図９は取付けプレートを係止プレートに取付ける取付け方法を説明する斜視図、図１０は、取付けプレートが係止プレートに取り付けられた状態を示すロック時の斜視図、図１１は、取付けプレートが係止プレートに取り付けられた状態のロック解除時の斜視図、図１２は、取付けプレートをモニタに取付け、係止プレートをモニタ支持台に取り付けた状態を示す斜視図である。
【００３１】
この発明のモニタの着脱機構１は、図１および図２に示すようにモニタ２とモニタ支持台３とにおいて、いずれか一方に取付けプレート４が固設され、他方に係止プレート５が固設され、取付けプレート４を係止プレート５に着脱自在とすることによってモニタ２をモニタ支持台３に着脱自在に取付ける構成となっている。以下では、モニタの着脱機構１部分だけを取り出して説明するが、実際にはモニタ２とモニタ支持台３の、いずれか一方に取付けプレート４が固設され、他方に係止プレート５が固設されているものである。この実施の形態では、取付けプレート４がモニタ２に固設され、係止プレート５がモニタ支持台３に固設されている場合を示している。
【００３２】
取付けプレート４は、図３および図４に示すように四角形で周囲に立設する上部側壁６ａ、下部側壁６ｂ、左部側壁６ｃおよび右部側壁６ｄを備える。この上部側壁６ａには、上部係止孔７ａが、下部側壁６ｂには下部係止孔７ｂが、左部側壁６ｃには左部係止孔７ｃが、および右部側壁６ｄには右部係止孔７ｄが、それぞれ設けられている。本例では、上部係止孔７ａが２個、下部係止孔７ｂおよび左右係止孔７ｃ、７ｄが１個設けられている。また、取付けプレート４のプレート面には、後述するストッパとしての突起２５の係止を解除する解除部材８が突設されている。この解除部材８は、取付けプレート４を係止プレート５に取り付けたとき係止プレート５に設けたストッパ孔２８と対応する位置に設けられ、取付けプレート４を係止プレート５に取り付けると係止プレート５のストッパ孔２８に挿入するようになっている。また、取付けプレート４の下部側壁６ｂには、後述するスライド部材２３のスライド（進退）を許容する切欠部９が設けられている。さらに、取付けプレート４の隅近傍には、取付孔１０が設けられ、図４に示すようにこの取付孔１０を用いてモニタ２側に固定される。
なお、この実施の形態の取付けプレート４は、図４に示すようにケース１１に装着されている場合を示しているが、このケース１１は必ずしも必要はない。
【００３３】
係止プレート５は、図５および図６に示すように前記取付けプレート４の上下部、左右部の側壁６ａ、６ｂ、６ｃ、６ｄで囲繞された内側に略合致して嵌入できる四角形状であって、係止プレート５の上端部には、取付けプレート４が取り付けられたときの取付けプレート４の上部側壁６ａに設けた上部係止孔７ａと対応する位置に、該上部係止孔７ａに挿入する係止爪１５が設けられている。
【００３４】
この係止プレート５の一面には、図５および図６に示すようにリング状のロックプレート１６が回動可能に装着されている。回動可能とする構成は、従来公知の手段を採用でき、特に制限はない。本例では、ロックプレート１６に円弧状のガイド孔１７が設けられ、このガイド孔１７に係止プレート５から突出したガイド片１８が挿入され、回動可能とすると共に、係止プレート５にロックプレート１６の外周縁に当接する規制片１９を突設して同一軸心での回動を可能にした構成を示している。本例でロックプレート１６をリング状としたのは、本例では図５に示すように係止プレート５の中央にベサ取付部２０を設けたので、その部分を回避して取り付けるためである。従って、係止プレート５はリング状なので、ベサ取付部２０を中央にその外周に回動可能となっている。
【００３５】
このロックプレート１６の左右部および下部の周縁には、このロックプレート１６の正逆の回動で取付けプレート４の下部係止孔７ｂ、左部係止孔７ｃおよび右部係止孔７ｄに出入するロック爪２１ｂ、２１ｃ、２１ｄが突設されている。また、このロックプレート１６には、ロックプレート１６のロック爪２１ｂ、２１ｃ、２１ｄが取付けプレート４の下部係止孔７ｂ、左部係止孔７ｃおよび右部係止孔７ｄに進入して取付けプレート４をロックする方向に付勢するばね２２が設けられている。このばね２２は、一端が係止プレート５に取り付けられ、他端がロックプレート１６に取り付けられ、ロックプレート１６を取付けプレート４のロック方向（正回動方向）に付勢している。これにより、係止プレート５に回動可能に取り付けたロックプレート１６は、図７に示すような取付けプレート４のロック解除位置に回動させたり、図８に示すようなロック位置に回動させることができる。
【００３６】
従って、前記取付けプレート４と係止プレート５は、図９に示すように取付けプレート４の上部係止孔７ａを係止プレート５の上端部に突出した係止爪１５に係合させて支持させ回動して取付けプレート４と係止プレート５を重ね合わせて取付けることができる。この係止プレート５に取り付けられた取付けプレート４は、ばね２２の付勢力によるロックプレート１６の正方向の回動でロックプレート１６のロック爪２１ｂ、２１ｃ、２１ｄが、取付けプレート４の下部係止孔７ｂ、左部係止孔７ｃおよび右部係止孔７ｄに進入してロックされ（図１０の状態）、ばね２２の付勢力に抗する逆方向の回動でロックプレート１６のロック爪２１ｂ、２１ｃ、２１ｄが、取付けプレート４の下部係止孔７ｂ、左部係止孔７ｃおよび右部係止孔７ｄから退出してロックが解除される（図１１の状態）。このロックが解除された状態では、取付けプレート４の上部係止孔７ａが係止プレート５の係止爪１５に係止されている部分を中心に、取付けプレート４を回動させるように持ち上げること（図９に示す矢印と逆方向の作動）で係止プレート５から取り外すことができる。
そして、図１２に示すように取付けプレート４はモニタ２に取付けられ、係止プレート５はモニタ支持台３に取付けられる。従って、モニタ２はモニタ支持台３に着脱自在とすることができる。
【００３７】
前記係止プレート５には、図１３、図１４に拡大して示すようにばね２２の付勢力に抗してロックプレート１６を、そのロック爪２１ｂ、２１ｃ、２１ｄが取付けプレート４の係止孔７ｂ、７ｃ、７ｄから退出してロックを解除する方向に回動させるスライド部材２３が進退可能（スライド自在）に設けられ、該スライド部材２３には、スライド部材２３がロック解除位置にスライドしたとき（図１１、図１４の状態）、ばね２２の付勢力に抗してスライド部材２３をロック解除位置に係止するストッパ２５（図１５、図１６参照）が設けられている。
従って、係止プレート５に取付けた取付けプレート４は、ばね２２の付勢力で回動されロックプレート１６のロック爪２１ｂ、２１ｃ、２１ｄが取付けプレート４の下部係止孔７ｂ、左部係止孔７ｃ、右部係止孔７ｄに進入してロックされ（図１０の状態）、このロック状態は、ばね２２の付勢力で保持されているが、前記スライド部材２３をばね２２の付勢力に抗してスライド（図１０の状態から図１１の状態にする。）させると、ロックプレート１６がロック解除方向に回動され、ロックが解除され、スライド部材２３がロック解除位置にスライドされるとストッパ２５に係止され、そのロック解除位置（図１１の状態）を保持する。これによりスライド部材２３から手を放し、両手においてモニタ２の取り外しが可能となる。この取付けプレート４の係止プレート５からの取り外しは、取付けプレート４の上部係止孔７ａが係止プレート５の係止爪１５に係止されている部分を中心に取付けプレート４を回動させるように持ち上げること（図９の矢印と逆方向の作動）で行うことは前述した通りである。
【００３８】
この取付けプレート４の取り外した状態では、スライド部材２３およびロックプレート１６は、スライド部材２３がストッパ２５で係止されていることによりロック解除位置を保持しているが、取付けプレート４を係止プレート５に取り付けると、ストッパ２５の係止が解除され、ばね２２の付勢力でスライド部材２３がスライド復帰されると共に、ロックプレート１６が回動し、そのロック爪２１ｂ、２１ｃ、２１ｄが取付けプレート４の下部係止孔７ｂ、左部係止孔７ｃ、右部係止孔７ｄに進入して自動的にロックされる。従って、この実施の形態では、取付けプレート４のロックの解除時にのみスライド部材２３をスライドさせればよく、ロックは取付けプレート４を係止プレート５に取り付けることによって自動的に実行される。
【００３９】
さらに、具体的に詳説すると、図５に示すように係止プレート５の下端には、プレート面より立設する突片２６が設けられ、この突片２６にはガイド孔２７が突片２６の長手方向に沿って設けられ、前記スライド部材２３は、該突片２６のガイド孔２７にガイドされて進退自在に設けられている。このスライド部材２３には、摘み２３ａが設けられ、ガイド孔２７より外出してスライド部材２３のスライド操作が可能となっている。このスライド部材２３は、ロックプレート１６に連係され、このスライド部材２３のスライド操作でロックプレート１６の回動が可能となっている。
【００４０】
図１５は、スライド部材２３の斜視図、図１６はスライド部材２３の断面平面図で、（ａ）が取付けプレート４のロック時で図１０、図１３の状態時であり、（ｂ）は取付けプレート４のロック解除時で図１１、図１４の状態時である。スライド部材２３は、同図に示すように係止プレート５のプレート面に弾発接面する弾発力を備えるストッパ片２４を具備し、このストッパ片２４にストッパとしての突起２５が設けられ、このストッパとしての突起２５は、ストッパ片２４の弾発力で係止プレート５のプレート面に押圧当接されている。従って、突起２５は、スライド部材２３のスライドでストッパ片２４の弾発力で係止プレート５のプレート面に押圧当接されて摺動する。
また、係止プレート５には、スライド部材２３がロック解除位置にスライドしたとき、前記ストッパ片２４の突起２５が係止されるストッパ孔２８が設けられている（図６、図１６参照）。このストッパ孔２８は、スライド部材２３がロック解除位置にスライドしたときの、ストッパ片２４の突起２５と対応する位置に設けられている。従って、図１６（ａ）から（ｂ）のようにストッパとしての突起２５は、ストッパ片２４の弾発力で係止プレート５のプレート面に押圧当接されて摺動しているので、スライド部材２３がロック解除位置にスライドされると、ストッパ片２４の突起２５は、図１６（ｂ）に示すようにストッパ孔２８と合致して落ち込み、スライド部材２３をその位置に係止する。これによりスライド部材２３は、ばね２２の付勢力でロック方向に復元しようとしても突起２５で係止され、ロック解除位置を保持するし、スライド部材２３に連係されているロックプレート１６も、スライド部材２３により規制され、ロック解除位置を保持する。
このロック解除位置で取付けプレート４は、係止プレート５より取り外し可能となるが、この状態では、取付けプレート４の上部係止孔７ａが、係止プレート５の係止爪１５に係止された状態なので、取り外し可能でも取付けプレート４が係止プレート５から外れ自重落下することがなく、その位置を保持しており、取付けプレート４（モニタ２）は手で取付けプレート４（モニタ２）を支持してから持ち上げる格好で取り外しする。
【００４１】
また、取付けプレート４には、係止プレート５に取り付けたときの前記係止プレート５のストッパ孔２８と対応する位置に、該ストッパ孔２８に挿入する解除部材８（図３参照）が突設されている。従って、このロック解除位置で取付けプレート４を係止プレート５に取付けると、取付けプレート４の解除部材８が、反対面より（図１６（ｂ）の矢印方向より）係止プレート５のストッパ孔２８に進入して、ストッパ片２４または突起２５を押圧するので、ストッパ孔２８からの突起２５の係止が解除される。この突起２５での係止が解除されると、ばね２２の付勢力でスライド部材２３がスライド復帰すると共にロックプレート１６が回動し、そのロック爪２１ｂ、２１ｃ、２１ｄが取付けプレート４の下部係止孔７ｂ、左部係止孔７ｃ、右部係止孔７ｄに進入して自動的にロックする。
【００４２】
なお、この実施の形態では、取付けプレート４は、図４に示すようにケース１１に装着され、係止プレート５は、図６に示すようにベース部材２９に装着されている場合を示しているが、このケース１１およびベース部材２９は、必ずしも必要はない。しかし、取付けプレート４を係止プレート５に取り付けた状態とすると、図２０に示すように機構部がケース１１およびベース部材２９で被覆された格好となるので、このモニタの着脱機構１のみを販売、流通させるのに有効であるし、図１９に示すようにケース１１およびベース部材２９に装着したままでモニタ２およびモニタ支持台３に取り付けることができるし、取付けも容易となるので好ましい。
【００４３】
しかして、この実施の形態のモニタの着脱機構１によれば、係止プレート５を、係止プレート５のスライド部材２３をばね２２の付勢力に抗してロック解除方向にスライドさせ、ストッパ片２４の突起２５をストッパ孔２８に係止させて保持させたロック解除位置とした状態で、取付けプレート４の上部係止孔７ａを、係止プレート５の上端部に突出した係止爪１５に係合させて支持させ回動して取付けプレート４を係止プレート５に重ね合わせて取付けると、取付けプレート４の解除部材８が、係止プレート５の反対面からストッパ孔２８に進入して、ストッパ片２４の突起２５またはストッパ片２４を押し下げるからストッパ孔２８に係止されている突起２５は、ストッパ孔２８からの係止が解除される。従って、ばね２２でロック方向に付勢されているロックプレート１６およびスライド部材２３は、ばね２２の付勢力でスライド部材２３がスライド復帰すると共に、ロックプレート１６が正方向に回動し、そのロック爪２１ｂ、２１ｃ、２１ｄが取付けプレート４の下部係止孔７ｂ、左部係止孔７ｃ、右部係止孔７ｄに進入して取付けプレート４は、自動的にロックされる。図１０は、このロック状態を示しており、このロック状態は、ばね２２の付勢力で確実に保持される。
【００４４】
この取付けプレート４のロックを解除する時は、ロック状態からスライド部材２３をばね２２の付勢力に抗してスライドさせる。するとこのスライド部材２３に連係しているロックプレート１６が逆方向（ロック解除方向）に回動し、そのロック爪２１ｂ、２１ｃ、２１ｄが、取付けプレート４の下部係止孔７ｂ、左部係止孔７ｃ、右部係止孔７ｄから退出し、取付けプレート４からのロックを解除すると共に、スライド部材２３がロック解除位置に到達すると、ストッパ片２４で係止プレート５面に弾発押圧されている突起２５が、ストッパ孔２８に係止されてスライド部材２３のロック解除位置を保持し、これによりロックプレート１６もロック解除位置を保持する。
【００４５】
図１７は、この発明の他の実施の形態を示す斜視図である。この実施の形態のモニタの着脱機構１は、ロックプレート１６が係止プレート５に軸３０で回転可能に取り付けられている場合であって、他は前記実施の形態と同様であるので、同一構成要素には同一符号を付して他の詳細な説明は省略する。
この実施の形態のモニタの着脱機構１も前記実施の形態と同様の作用をする。
【００４６】
図１８は、この発明の更に他の実施の形態を示す斜視図である。この実施の形態のモニタの着脱機構１は、ロックプレート１６には、上下部および左右部にロック爪２１a、２１ｂ、２１ｃ、２１ｄを備え、取付けプレート４の上部側壁６ａに設けた上部係止孔７ａも、ロックプレート１６の上部のロック爪２１ａが出入するように構成したものであって、他は前記実施の形態と同様であるので、同一構成要素には同一符号を付して他の詳細な説明は、省略する。
この実施の形態のロックプレート１６の上部のロック爪２１ａは、ロックプレート１６の正逆の回動で上部係止孔７ａに出入するように、即ち、ロックプレート１６の正方向の回動で上部係止孔７ａに進入しロックし、逆方向の回動で上部係止孔７ａから退出しロック解除をするようにしてもよいし、ロックプレート１６が正逆に回動しても、上部係止孔７ａ内で正逆の回動だけで上部係止孔７ａ内より抜け出ないようにしてもよい。
この上部のロック爪２１ａが、ロックプレート１６の正逆の回動で上部係止孔７ａ内より抜け出ない構成とすると、ロックプレート１６の下部のロック爪２１ｂ、左右のロック爪２１ｃ、２１ｄが取付けプレート４の下部および左右部の係止孔７ｂ、７ｃ、７ｄから退出し、ロックが解除され取り外しが可能な状態になっても、取付けプレート４の上部係止孔７ａは、ロックプレート１６の上部のロック爪２１ａに係止された状態なので、そのままの位置が確保でき、取付けプレート４に取り付けたモニタ２も自重で落下せず、手でモニタ２を支持してから持ち上げて取り外しが可能となるので安全であり、取り外し時の信頼性が向上する。
【００４７】
なお、前記実施の形態は、この発明を制限するものではなく、この発明は要旨を逸脱しない範囲で種々の変形が許容される。例えば、ロックプレート１６の外形状は、回動できる形状であればよく、特に制限されるものではなく、種々の形状で対応可能となる。
【産業上の利用可能性】
【００４８】
この発明は、モニタだけでなく各種ディスプレイの着脱機構にも適用可能である。
【図面の簡単な説明】
【００４９】
【図１】この発明の実施の形態を示す全体斜視図である。
【図２】この発明の実施の形態を示すモニタをモニタ支持台より取り外した状態の斜視図である。
【図３】この発明の実施の形態を示す取付けプレートの斜視図である。
【図４】この発明の実施の形態を示す取付けプレート側の分解斜視図である。
【図５】この発明の実施の形態を示す係止プレートの斜視図である。
【図６】この発明の実施の形態を示す係止プレート側の分解斜視図である。
【図７】係止プレートに回動可能に取り付けたロックプレートがスライド部材でロック解除位置に回動された状態を示す斜視図である。
【図８】係止プレートに回動可能に取り付けたロックプレートが、ロック位置に回動された状態を示す斜視図である。
【図９】取付けプレートを係止プレートに取り付ける取付け方法を説明する斜視図である。
【図１０】取付けプレートが係止プレートに取り付けられた状態を示すロック時の斜視図である。
【図１１】取付けプレートが係止プレートに取り付けられたロック解除時の斜視図である。
【図１２】取付けプレートをモニタに取付け、係止プレートをモニタ支持台に取り付けた状態を示す斜視図である。
【図１３】スライド部材部分を示すロック時の拡大斜視図である。
【図１４】スライド部材部分を示すロック解除位置の拡大斜視図である。
【図１５】スライド部材の斜視図である。
【図１６】スライド部材の断面平面図で、（ａ）が取付けプレートのロック時の位置断面を示し、（ｂ）が取付けプレートのロック解除時の位置断面を示している。
【図１７】この発明の他の実施の形態を示す斜視図である。
【図１８】この発明の更に他の実施の形態を示す斜視図である。
【図１９】取付けプレートがケースに装着され、係止プレートがベース部材に装着されて、取付けプレートが係止プレートに取り付けられた状態を示す斜視図である。
【図２０】図１９の分解斜視図である。
【符号の説明】
【００５０】
１  モニタの着脱機構
２  モニタ
３  モニタ支持台
４  取付けプレート
５  係止プレート
６ａ  上部側壁
６ｂ  下部側壁
６ｃ  左部側壁
６ｄ  右部側壁
７ａ  上部係止孔
７ｂ  下部係止孔
７ｃ  左部係止孔
７ｄ  右部係止孔
８  解除部材
１１  ケース
１５  係止爪
１６  ロックプレート
１７  ガイド孔
１８  ガイド片
１９  規制片
２１ａ、２１ｂ、２１ｃ、２１ｄ  ロック爪
２２  ばね
２４  ストッパ片
２５  突起（ストッパ）
２６  突片
２７  ガイド孔
２８  ストッパ孔
２９  ベース部材
３０  軸
【図１】
0005017672.tif 000002
【図２】
0005017672.tif 000003
【図３】
0005017672.tif 000004
【図４】
0005017672.tif 000005
【図５】
0005017672.tif 000006
【図６】
0005017672.tif 000007
【図７】
0005017672.tif 000008
【図８】
0005017672.tif 000009
【図９】
0005017672.tif 000010
【図１０】
0005017672.tif 000011
【図１１】
0005017672.tif 000012
【図１２】
0005017672.tif 000013
【図１３】
0005017672.tif 000014
【図１４】
0005017672.tif 000015
【図１５】
0005017672.tif 000016
【図１６】
0005017672.tif 000017
【図１７】
0005017672.tif 000018
【図１８】
0005017672.tif 000019
【図１９】
0005017672.tif 000020
【図２０】
0005017672.tif 000021